(57)【要約】【課題】  清掃部を把持部からワンタッチで取り外し交換可能とする。【解決手段】  清掃部２は基部２ａが主体とされ、取付板２ｃが斜め下方に延在され、この取付板２ｃを覆うように摺擦材２ｂは接着されている。基部２ａの上部から係止部２ｅが突出されており、中間部には係止鍔２ｆが形成されている。  把持部３には、下端部に基部２ａと合致する形状の受部３ａが設けられ、上方部は空胴部３ｂとされ、押出部３ｃが移動自在に挿入されている。受部３ａと空胴部３ｂとの境界部には、係止孔３ｇが設けられている。  清掃部２を把持部３に組付けるには、係止部２ｅ、基部２ａを受部３ａ内に押し込む。係止部２ｅは係止孔３ｇによりすぼめられ、係止鍔２ｆが係止孔３ｇを潜り抜けると、係止鍔２ｆ同士の間隔が拡がり係止孔３ｇに係止して下方に抜け出なくなり、基部２ａと受部３ａとが合致し清掃部２は把持部３と結合する。【選択図】図３
2020032075.tif 000002
【特許請求の範囲】
【請求項１】
清掃部と、該清掃部を着脱自在に取り付け可能とした把持部とから成る清掃具であって、
前記清掃部は、基部と、該基部の下部に設けられた摺擦材と、前記基部の上部に設けられた係止部とを備え、
前記把持部は、下端部に前記係止部を係止する受部と、該受部から上方に延在する空胴部と、前記受部と前記空胴部との間に設けられ前記清掃部の係止部を係止する係止孔と、前記空胴部の内部に移動自在に設けられ、押し出しにより前記係止部との係止を解除する押出部とを備えたことを特徴とする清掃具。
【請求項２】
前記清掃部を前記把持部に取り付ける際には、前記係止部、前記基部を前記把持部の受部内に押し込み、前記係止部を前記把持部の係止孔に係止し、
前記把持部に取り付けた前記清掃部を取り外す際には、前記押出部の上端を押圧して前記清掃部の前記係止部の前記係止孔に対する係止を解除して、前記清掃部を前記把持部から押し外すことを特徴とする請求項１に記載の清掃具。
【請求項３】
前記摺擦材は前記基部から斜め下方に配置された取付板を覆うように取り付けられていることを特徴とする請求項１又は２に記載の清掃具。
【請求項４】
前記係止部は側方に張り出す係止鍔から頂部に向けて傾斜部により先細りとした形状をしており、前記係止鍔が前記係止孔に引っ掛かるように係止することより、前記清掃部が前記把持部に一体化して取り付けられることを特徴とする請求項１〜３の何れか１項に記載の清掃具。
【請求項５】
前記頂部と前記係止鍔との間の前記傾斜部の外側に、段差状の段差部を設けたことを特徴とする請求項４に記載の清掃具。
【請求項６】
前記押出部の下端には、前記傾斜部を外側から押圧する筒部が設けられていることを特徴とする請求項４又は５に記載の清掃具。
【請求項７】
前記押出部の下端には、前記頂部と当接する押圧部が設けられていることを特徴とする請求項４〜６の何れか１項に記載の清掃具。
【発明の詳細な説明】
【技術分野】
【０００１】
本発明は、トイレ等の清掃に好適に使用できる清掃具に関するものである。
【背景技術】
【０００２】
隅々までも清掃可能なトイレ用清掃ブラシとして、例えば特許文献１の便器清掃用具が知られている。この便器清掃用具は、器内の便鉢を接触清掃する清掃部と、清掃部を取り付ける柄部とから構成されている。
【先行技術文献】
【特許文献】
【０００３】
【特許文献１】特開２０１５−０３６００２号公報
【発明の概要】
【発明が解決しようとする課題】
【０００４】
特許文献１は、トイレ用清掃ブラシの清掃部の後端には、柄部の被嵌合孔に嵌まり込む嵌合部を備えており、この嵌合部が被嵌合孔から不用意に外れることを防止するために、嵌合部の股部が被嵌合孔の掛止受部に掛け止まる構造が採用されている。
【０００５】
特許文献１便器清掃用具は、清掃部を交換することが不可能な構造であり、ブラシに汚物が付着した状態で保管を行う場合もある。この場合には衛生上の問題が生ずる。
【０００６】
本発明の目的は、上述の課題を解決し、清掃により汚れが付着した清掃部を把持部から簡便にワンタッチで取り外して廃棄し、新たな清掃部を把持部に容易に取り付け可能な清掃具を提供することにある。
【課題を解決するための手段】
【０００７】
上記目的を達成するための本発明に係る清掃具は、清掃部と、該清掃部を着脱自在に取り付け可能とした把持部とから成る清掃具であって、前記清掃部は、基部と、該基部の下部に設けられた摺擦材と、前記基部の上部に設けられた係止部とを備え、前記把持部は、下端部に前記係止部を係止する受部と、該受部から上方に延在する空胴部と、前記受部と前記空胴部との間に設けられ前記清掃部の係止部を係止する係止孔と、前記空胴部の内部に移動自在に設けられ、押し出しにより前記係止部との係止を解除する押出部とを備えたことを特徴とする。
【発明の効果】
【０００８】
本発明に係る清掃具によれば、清掃部は使い捨てとされ、汚れた清掃部に触れることなく、指押部を押圧することで、ワンタッチで新しい清掃部を交換することができ、衛生的である。
【０００９】
また、押圧部を押圧しなければ、清掃部が把持部から外れることのない構造であるため、清掃時に清掃部が把持部から不用意に外れることはない。
【図面の簡単な説明】
【００１０】
【図１】清掃部を把持部に取り付けた状態の実施例の斜視図である。
【図２】清掃部が把持部から外れている状態の斜視図である。
【図３】清掃部を把持部に取り付けた状態の正面から見た断面図である。
【図４】清掃部を把持部に取り付けた状態の側面から見た断面図である。
【図５】清掃部が把持部から外れている状態の正面から見た断面図である。
【図６】清掃部が把持部から外れている状態の側面から見た断面図である。
【図７】押出部を押し出して清掃部を把持部から押し出す状態の側面から見た断面図である。
【図８】押出部を押し出す途中の清掃部の係止部の状態を示す説明図である。
【図９】押出部を押し出す途中の清掃部の係止部の状態を示す説明図である。
【図１０】押出部を押し出した際の清掃部の係止部の状態を示す説明図である。
【発明を実施するための形態】
【００１１】
本発明を図示の実施例に基づいて詳細に説明する。
実施例の清掃具１は、被清掃物である便器内に対して、清掃を行う清掃部２と、この清掃部２を取り付け可能とする把持部３とから構成されている。図１は清掃部を把持部３に取り付けた状態の斜視図、図２は清掃部２が把持部３から外されている状態の斜視図を示しており、図示するように使い捨てである清掃部２は把持部３に対して着脱自在とされている。
【００１２】
図３及び図４は、図１に対応する正面から見た断面図及び側面から見た断面図であり、図５及び図６は、図２に対応する正面から見た断面図及び側面から見た断面図である。
【００１３】
清掃部２は、合成樹脂材から成り、断面楕円形で上方に向けて側部の幅が狭くなるテーパ状の基部２ａが主体とされ、摺擦材２ｂを取り付けた取付板２ｃが、基部２ａの下部から稍々斜め下方に配置されている。この取付板２ｃは、テーパ状となる基部２ａを正面とした場合に、手前側に傾斜するように配置されている。
【００１４】
取付板２ｃに取り付ける摺擦材２ｂは、例えば比較的硬質の化学繊維毛を固めたマット状とされ、摺擦による清掃機能を有している。
【００１５】
摺擦材２ｂは２つ折りにして取付板２ｃを覆うように、取付板２ｃに対し接着され、取付板２ｃの周縁では摺擦材２ｂ同士が接着されている。なお、取付板２ｃの両面には、摺擦材２ｂの接着効果を高めるために複数個の凹部２ｄが形成されている。また、摺擦材２ｂとして、樹脂製のブラシ材や、研磨剤や洗剤を含有する不織布等、適宜の清掃部材を採用することができる。
【００１６】
また、基部２ａの上部から、把持部３に対する係止部２ｅが上方に向けて突出されている。この係止部２ｅは幅の狭い板状部材が弾性を有する先細りのループ状に形成されており、中間部の両側に側方に張り出す係止鍔２ｆが形成されている。
【００１７】
そして、係止部２ｅは係止鍔２ｆの外縁から頂部２ｇに向けて、傾斜部２ｈにより先細りとした形状とされており、頂部２ｇと係止鍔２ｆとの間の傾斜部２ｈの外側には、段差状の段差部２ｉが設けられている。
【００１８】
把持部３では、下端部に清掃部２のテーパ状の基部２ａと合致する逆テーパ状の形状を有する受部３ａが設けられ、この受部３ａの上方に断面略Ｃ字状の空胴部３ｂが延在している。なお、空胴部３ｂは断面略Ｃ字状としているが、断面ロ字状の筒状等、空洞の形状であれば適宜の形状を採用することができる。
【００１９】
空胴部３ｂの上端には、側面をＬ字状に切り欠いた切欠部３ｋが形成されている。そして、空胴部３ｂ内には、棒状の押出部３ｃが空胴部３ｂに沿って移動自在に挿入されている。
【００２０】
この空胴部３ｂ内には、ばね取付部３ｄが空胴部３ｂの中心軸に向けて立設されており、押出部３ｃ側にもばね取付部３ｅが押出部３ｃの中心軸に向けて立設されている。
【００２１】
これらのばね取付部３ｄ、３ｅ間には、圧縮ばね３ｆが配置されており、この圧縮ばね３ｆの反発力により押出部３ｃは常時、空胴部３ｂ内において清掃部２と反対方向に付勢されている。
【００２２】
また、受部３ａと空胴部３ｂとの境界部には、清掃部２の係止部２ｅの係止鍔２ｆが潜り抜けて係止するための係止孔３ｇが設けられている。この係止孔３ｇの水平断面の形状は矩形状をしている。
【００２３】
更に、押出部３ｃの下端には、清掃部２の係止部２ｅの外側から押圧する筒部３ｈと、この筒部３ｈの内側であって係止部２ｅを押す押圧部３ｉとが設けられている。筒部３ｈが傾斜部２ｈを内側に押し込み、押圧部３ｉが係止部２ｅの頂部２ｇに接して下方に押すようにされている。
【００２４】
なお、押圧部３ｉは突片形状を有しているが、必ずしも突片形状にする必要はなく、更には係止部２ｅの頂部２ｇを押圧部３ｉによって押し出さない構造にしてもよい。この場合は筒部３ｈによる押圧のみで係止部２ｅを押し出すことになる。
【００２５】
また、押出部３ｃの上端には、頂面が平面状の指押部３ｊが形成されており、そして、空胴部３ｂ内に押出部３ｃを挿入した際に、切欠部３ｋから指押部３ｊを押圧可能としている。
【００２６】
清掃部２を把持部３に組付けるには、清掃部２の係止部２ｅ、基部２ａを把持部３の受部３ａ内に押し込む。傾斜部２ｈを有する先細りの係止部２ｅは、傾斜部２ｈが係止孔３ｇによりすぼめられる。
【００２７】
これにより、係止鍔２ｆ同士の間隙が小さくなり、係止孔３ｇを潜り抜けると、係止部２ｅの弾発力により係止鍔２ｆ同士の間隔が拡がり、係止鍔２ｆが係止孔３ｇの上側に係止して下方に抜け出なくなる。このように、係止鍔２ｆが係止孔３ｇに引っ掛かるように係止することより、基部２ａは受部３ａとテーパ部同士が合致し、清掃部２は把持部３と結合して一体となる。
【００２８】
このようにして、清掃部２を単に押し込むだけで把持部３に結合した清掃具１では、把持部３に加えた力は、そのまま清掃部２に伝達されることになる。従って、片手で把持部３を把持し、清掃部２の摺擦材２ｂをトイレなどの清掃すべき個所に当接して、摺擦することにより汚れを落とすことができる。
【００２９】
特に、摺擦材２ｂは取付板２ｃにより把持部３に対し斜め前方に傾斜しているので、水平面を摺擦材２ｂにより摺擦する場合でも、把持部３を斜め方向にして使用できるので、操作が容易になる。
【００３０】
清掃により摺擦材２ｂに汚れが多く付着すると清掃効果が低下するので、新しい清掃部２に交換する必要がある。このときに、図７に示すように、把持部３の押出部３ｃを指押部３ｊにより、圧縮ばね３ｆの付勢力に抗して下方に押し出す。
【００３１】
図８は押出部３ｃを押し出す途中の清掃部２の係止部２ｅの状態を示す説明図であり、図９は図８の状態から更に押出部３ｃを押し出す途中の清掃部２の係止部２ｅの状態を示す説明図であり、図１０は押出部３ｃを押し出した際の清掃部２の係止部２ｅの状態を示す説明図である。
【００３２】
先ず、指押部３ｊを親指で押圧すると、押出部３ｃの先端の筒部３ｈが清掃部２の係止部２ｅの傾斜部２ｈに接触しながら、両側から傾斜部２ｈを挟み込むようにして係止部２ｅが下方に移動を開始する。
【００３３】
そして、図８に示すように筒部３ｈが段差部２ｉに引っ掛かった状態になる。この状態になると親指に多少の負荷が発生する。この負荷に抗して更に親指に力を加えることで、図９に示すように段差部２ｉに筒部３ｈが乗り上げ、この乗り上げによって係止鍔２ｆ同士の間隙を狭めることなる。同時に、押圧部３ｉが頂部２ｇに当接した状態となる。
【００３４】
更に、指押部３ｊを押圧することで、押圧部３ｉにより頂部２ｇが押し出されることなる。この押し出しにより、係止鍔２ｆの同士の間隙を更に狭めて、図１０に示すように係止鍔２ｆが係止孔３ｇから下方に抜け出て係止が解除した状態となる。
【００３５】
このようにして、清掃部２が把持部３から分離する。上述のように段差部２ｉに筒部３ｈが引っ掛かる構造にすることで、図８において押圧力が段差部２ｉに蓄積し、図１０の係止が解除された際に、勢い良く把持部３から清掃部２が飛び出すことになる。この飛び出しにより、ごみ箱等の奥に不衛生である清掃部２を放出することが可能となる。
【００３６】
ここで、指を指押部３ｊから離すと、押出部３ｃは圧縮ばね３ｆの付勢力により元の位置に戻るので、把持部３への新たな清掃部２の取り付けが可能となる。
【００３７】
このように、清掃部２に触れることなく、指押部３ｊを押圧することで、ワンタッチで清掃部２を破棄することが可能である。そして、使用する度に清掃部２を交換することで衛生的に清掃具１を使用することができる。
【００３８】
また、指押部３ｊを押圧しなければ、清掃部２が把持部３から外れることのない構造であるため、清掃時に清掃部２が把持部３から不用意に外れることもない。
【符号の説明】
【００３９】
１  清掃具
２  清掃部
２ａ  基部
２ｂ  摺擦材
２ｃ  取付板
２ｅ  係止部
２ｆ  係止鍔
２ｇ  頂部
２ｈ  傾斜部
２ｉ  段差部
３  把持部
３ａ  受部
３ｂ  空胴部
３ｃ  押出部
３ｇ  係止孔
【図１】
2020032075.tif 000003
【図２】
2020032075.tif 000004
【図３】
2020032075.tif 000005
【図４】
2020032075.tif 000006
【図５】
2020032075.tif 000007
【図６】
2020032075.tif 000008
【図７】
2020032075.tif 000009
【図８】
2020032075.tif 000010
【図９】
2020032075.tif 000011
【図１０】
2020032075.tif 000012